(57)【特許請求の範囲】
【請求項１】
フックと、
根元において結合ピンによって回動可能に支持される２本のアームと、
前記アームの付け根に前記アームに対して１８０°より小さく、９０°以上の角度をなして設けられ、閉じる方向の力を２本の前記アームを開く方向の力に変換する開閉部材と、
前記開閉部材に設けられるへこみであるロック係止部と、
前記フックに設けられ、前記開閉部材の側に付勢する弾性力を有するロック弾性部と、
前記ロック弾性部の先端部に設けられ、前記開閉部材が閉じたときに前記ロック係止部と係合され、前記アームが閉じることを規制するロック規制部と、
前記開閉部材に設けられ、弾性力を有する解除部弾性部と、
前記解除部弾性部の先端部に設けられ、前記フックの側に突出し、前記フックの側に押圧された場合に前記ロック規制部の前記ロック係止部への係合を解除して前記アームが閉じることを許容する解除突起と、
を備えるハンガー。
【請求項２】
フックと、
根元において結合ピンによって回動可能に支持される２本のアームと、
前記アームの付け根に前記アームに対して１８０°より小さく、９０°以上の角度をなして設けられ、閉じる方向の力を２本の前記アームを開く方向の力に変換する開閉部材と、
前記フックに設けられるへこみであるロック係止部と、
前記開閉部材に設けられ、前記フックの側に付勢する弾性力を有するロック弾性部と、
前記ロック弾性部の先端部に設けられ、前記開閉部材が閉じたときに前記ロック係止部と係合され、前記アームが閉じることを規制するロック規制部と、
前記フックに設けられ、弾性力を有する解除部弾性部と、
前記解除部弾性部の先端部に設けられ、前記開閉部材の側に突出し、前記開閉部材の側に押圧された場合に前記ロック規制部の前記ロック係止部への係合を解除して前記アームが閉じることを許容する解除突起と、
を備えるハンガー。
【請求項３】
前記フックは、
２本の前記アームのうちの少なくとも１本に、一体に設けられる請求項１又は請求項２に記載のハンガー。
【発明の詳細な説明】
【技術分野】
【０００１】  本発明は、ハンガーに関する。
【背景技術】
【０００２】  衣料品を販売する店舗において、例えば丸首のＴシャツをハンガーにかけて展示する場合、従来のハンガーを使うとＴシャツの下部からハンガーを差し入れなければならず、工数と時間がかかっていた。【０００３】  この点に関し、ハンガーの左右のアームを下方に折りたたみ、Ｔシャツの首の部分からハンガーのアームを差し入れ、その後にアームを開くタイプのハンガーが提案されている（例えば、特許文献１）。【０００４】  しかし、従来のこのタイプのハンガーは、ヒンジ部分の機構が複雑であり、製造コストが高いものとなっていた。
【先行技術文献】
【特許文献】
【０００５】
【特許文献１】実用新案登録第３０８９５３４号公報
【発明の概要】
【発明が解決しようとする課題】
【０００６】  本発明が解決しようとする課題は、安価に製造することができ、迅速に衣類に装着できるハンガーを提供することである。
【課題を解決するための手段】
【０００７】
上記課題を解決するために、本発明は、フックと、
根元において結合ピンによって回動可能に支持される２本のアームと、
前記アームの付け根に前記アームに対して１８０°より小さく、９０°以上の角度をなして設けられ、閉じる方向の力を２本の前記アームを開く方向の力に変換する開閉部材と、前記開閉部材に設けられるへこみであるロック係止部と、前記フックに設けられ、前記開閉部材の側に付勢する弾性力を有するロック弾性部と、前記ロック弾性部の先端部に設けられ、前記開閉部材が閉じたときに前記ロック係止部と係合され、前記アームが閉じることを規制するロック規制部と、前記開閉部材に設けられ、弾性力を有する解除部弾性部と、前記解除部弾性部の先端部に設けられ、前記フックの側に突出し、前記フックの側に押圧された場合に前記ロック規制部の前記ロック係止部への係合を解除して前記アームが閉じることを許容する解除突起と、を備えるハンガーを提供する。
【発明の効果】
【０００８】  本発明によれば、安価に製造することができ、迅速に衣類に装着できるハンガーを提供することができる。
【図面の簡単な説明】
【０００９】
【図１】アームを閉じた状態の第１の実施形態のハンガーを示す図。
【図２】第１の実施形態のハンガーのアームを開く過程を示す図。
【図３】第１の実施形態のハンガーのアームを開いた状態を示す図。
【図４】アームを閉じた状態の第２の実施形態のハンガーを示す図。
【図５】第２の実施形態のハンガーのアームを開いた状態を示す図。
【図６】補助部材の拡大図。
【図７】補助部材を装着したハンガーを示す図。
【図８】第３の実施形態のハンガーのアームを開いた状態を示す図。
【図９】第３の実施形態のハンガーのアームを閉じた状態を示す図。
【図１０】第４の実施形態のハンガーのアームを開いた状態を示す図。
【図１１】第４の実施形態のハンガーの分解斜視図。
【図１２】第４の実施形態のハンガーのアームを閉じた状態を示す図。
【図１３】第４の実施形態のハンガーの図１０におけるＡＡ断面図。
【発明を実施するための形態】
【００１０】  以下、本発明の一実施形態にかかるハンガー１を、図面を参照しながら説明する。
【００１１】（第１の実施形態）  図１はアーム１１を閉じた状態の第１の実施形態のハンガー１を示す図、図２は第１の実施形態のハンガー１のアーム１１を開く過程を示す図、図３は第１の実施形態のハンガー１のアーム１１を開いた状態を示す図である。
【００１２】  図１から図３までに示すように、ハンガー１は、左右２本のアーム１１と、開閉部材１３と、フック１４と、を備える。
【００１３】  ハンガー１は、合成樹脂、金属のほか、紙や木によっても形成可能である。
【００１４】  アーム１１は、衣類を吊り下げるのに適した長さと幅を有するように、長軸に形成される。２本のアーム１１は根元において結合ピン１２によって互いに回動可能に結合する。２本のアーム１１は、互いに同一形状に形成され、一方のアーム１１が裏返しに用いられる。
【００１５】  開閉部材１３は、アーム１１の付け根にアーム１１に対して１８０°より小さく９０°以上の角度をなして設けられる。開閉部材１３は開閉部材１３が伸びる方向に沿って切り欠き１３Ｇを有する。切り欠き１３Ｇは、開閉部材１３の根元において開閉部材１３のアーム１１に対する屈曲方向とは逆の方向に、結合ピン１２を中心とする弧を描いて結合ピン１２の上部付近までさらに伸びる。
【００１６】  二つの開閉部材１３は、フック１４の付け根付近においてフック１４を挟み、フック１４の付け根に固定される支持ピン１３Ｈを変位可能に切り欠き１３Ｇに挿通する。
【００１７】  次に、ハンガー１の動作について説明する。
【００１８】  図１５に示すアームを閉じた状態において、２本のアーム１１をＴシャツなどの衣類の首穴に挿入する。
【００１９】  アーム１１を袖の部分に合わせ、開閉部材１３をフック１４の方向に閉じる。この際、支持ピン１３Ｈは切り欠き１３Ｇの弧の部分を移動する。次に、フック１４を上方に引き上げる。
【００２０】  開閉部材１３は、開閉部材１３を閉じる方向の力を２本のアーム１１を開く方向の力に変換する。
【００２１】  以上述べたように、本実施形態のハンガー１は、根元において結合ピン１２によって回動可能に支持される２本のアームと、アーム１１の付け根にアーム１１に対して１８０°より小さく、９０°以上の角度をなして設けられ、閉じる方向の力を２本の前記アームを開く方向の力に変換する開閉部材１３と、２本のアーム１１に挟まれるように配置され、下端部に開閉部材１３を閉じた状態に維持する規制部材を有するフック１４と、を備える。より具体的には、アーム１１は、アーム１１の根元において結合ピン１２によって回動可能に支持され、開閉部材１３は、開閉部材１３の伸延方向と、結合ピン１２を中心としてアーム１１に対する屈曲方向逆側に延びる弧とに沿って延びる切り欠き１３Ｇを有し、規制部材は、切り欠き１３Ｇに挿通される支持ピン１３Ｈである。
【００２２】  従って、本発明に係るハンガー１は、構成が簡単であり、開閉部材１３を閉じてフック１４を引き上げるだけによってアーム１１を開くことができる。よって、さらに安価に製造することができ、迅速に衣類に装着できるハンガーを提供することができるという効果がある。
【００２３】（第２の実施形態）  図４はアーム１１を閉じた状態の第２の実施形態のハンガー１を示す図、図５は第２の実施形態のハンガー１のアーム１１を開いた状態を示す図である。図６は補助部材１６の拡大図、図７は補助部材１６を装着したハンガー１を示す図である。
【００２４】  図４から図７までに示すように、ハンガー１は、左右２本のアーム１１と、開閉部材１３と、フック１４と、を備える。
【００２５】  ハンガー１は、合成樹脂、金属のほか、紙や木によっても形成可能である。
【００２６】  アーム１１は、衣類を吊り下げるのに適した長さと幅を有するように、長軸に形成される。２本のアーム１１は根元において結合ピン１２によって互いに回動可能に結合する。２本のアーム１１は、互いに同一形状に形成され、一方のアーム１１が裏返しに用いられる。
【００２７】  開閉部材１３は、アーム１１の付け根にアーム１１に対して１８０°より小さく、９０°以上の角度をなして設けられる。開閉部材１３は、長辺が開閉部材１３の伸びる方向に沿って伸び、開閉部材１３の根元において開閉部材１３のアーム１１に対する屈曲方向とは逆の方向に、結合ピン１２を中心として結合ピン１２の上部付近まで伸びる弧を底辺とし、底辺の長辺と接続する端部の逆側の端部と長辺の末端を結ぶ直線を斜辺とする略直角三角形の切り欠き穴１３Ｊを有する。
【００２８】  二つの開閉部材１３は、フック１４の付け根付近においてフック１４を挟み、フック１４の付け根に固定される支持ピン１３Ｈを変位可能に切り欠き穴１３Ｊに挿通する。
【００２９】  本実施形態のハンガー１は補助部材１６を有していてもよい。補助部材１６は、矩形又は楕円形状の板状の部材によって形成され、上部において繋がる二つの窓部１６Ａと、二つの窓部１６Ａの間に設けられ、支持ピン１３Ｈを挿通する支持ピン挿通孔１６Ｃを有する突出部１６Ｂと、備える。窓部１６Ａは、アーム１１を閉じた状態において開閉部材１３を挿通できる幅を有する。
【００３０】  図７に示すように、ハンガー１が補助部材１６を有する場合、補助部材１６は、アーム１１を閉じた状態のハンガー１のアーム１１端部が連結する窓部１６Ａに挿通され、支持ピン１３Ｈが支持ピン挿通孔１６Ｃに挿通されてフック１４に係止される。
【００３１】  次に、ハンガー１の動作について説明する。
【００３２】  図４に示すアームを閉じた状態において、２本のアーム１１をＴシャツなどの衣類の首穴に挿入する。
【００３３】  アーム１１を袖の部分に合わせ、フック１４を引き上げる。フック１４を上方向に引き上げる力は、支持ピン１３Ｈを介して切り欠き穴１３Ｊの斜辺を押す力、つまりアーム１１を開く方向の力に変換される。従って、フック１４を引き上げるに従って、アーム１１は開く。
【００３４】  補助部材１６が設けられる場合には、フック１４を引き上げると窓部１６Ａの内側側面が開閉部材１３を閉じる方向に押し上げる。つまり、補助部材１６はフックを引き上げる力を開閉部材１３が閉じる方向の力、つまりアーム１１が開く方向の力に変換する。
【００３５】  以上述べたように、本実施形態のハンガー１は、根元において結合ピン１２によって回動可能に支持される２本のアームと、アーム１１の付け根にアーム１１に対して１８０°より小さく、９０°以上の角度をなして設けられ、閉じる方向の力を２本の前記アームを開く方向の力に変換する開閉部材１３と、２本のアーム１１に挟まれるように配置され、下端部に開閉部材１３を閉じた状態に維持する規制部材を有するフック１４と、を備える。より具体的には、アーム１１は、アーム１１の根元において結合ピン１２によって回動可能に支持され、開閉部材１３は、長辺が開閉部材１３の伸延方向に沿って延び、開閉部材１３の根元においてアーム１１に対する屈曲方向とは逆の方向に、結合ピン１２を中心として伸びる弧を底辺とし、底辺の長辺と接続する端部の逆側の端部と長辺の末端を結ぶ直線を斜辺とする略直角三角形の切り欠き穴１３Ｊを有し、規制部材は、切り欠き穴１３Ｊに挿通される支持ピン１３Ｈである。
【００３６】  従って、本発明に係るハンガー１は、構成が簡単であり、開閉部材１３を閉じてフック１４を引き上げるだけによってアーム１１を開くことができる。よって、よりさらに安価に製造することができ、迅速に衣類に装着できるハンガーを提供することができるという効果がある。
【００３７】（第３の実施形態）  図８は第３の実施形態のハンガー１のアーム１１を開いた状態を示す図、図９は第３の実施形態のハンガー１のアーム１１を閉じた状態を示す図である。
【００３８】  図８及び図９に示すように、ハンガー１は、左右２本のアーム１１と、開閉部材１３と、フック１４と、を備える。
【００３９】  アーム１１は、衣類を吊り下げるのに適した長さと幅を有するように、長軸に形成される。２本のアーム１１は、互いに同一形状に形成され、一方のアーム１１が裏返しに用いられる。
【００４０】  フック１４は、柄１４Ｂの下端に支持ピン１３Ｎを有する。
【００４１】  開閉部材１３である突起部１３Ｐは、アーム１１の付け根にアーム１１に対して１８０°より小さく、９０°以上の角度をなして設けられ、アーム１１の伸延方向の結合ピン１２に対して反対側から突起部１３Ｐの根元まで伸びる切り欠き部を有する本体部１３Ｏを根元に有する。２本のアーム１１は本体部１３Ｏの中央において結合ピン１２によって回動可能に係止される。アーム１１の伸延方向逆側には結合ピン１２を挟んで、切り欠き部１３Ｍが設けられる。
【００４２】  切り欠き部１３Ｍは、結合ピン１２を挟んでアーム１１の反対側の位置から、突起部１３Ｐに向かって突起部１３Ｐの付け根まで緩やかに円弧を描いて伸び、突起部１３Ｐの根本付近において幅が広くなる。切り欠き部１３Ｍにはフック１４の柄１４Ｂに設けられる支持ピン１３Ｎが挿通される。支持ピン１３Ｎの先端は、支持ピン１３Ｎの先端以外の部分より若干太い。
【００４３】  開閉部材１３は、開閉部材１３を閉じる方向の力を２本のアーム１１を開く方向の力に変換する。
【００４４】  開閉部材１３を閉じると、支持ピン１３Ｎが切り欠き部１３Ｍの端部に移動すると、突起部１３Ｐはフック１４の方向に変位し、この変位に伴ってアーム１１が開く。
【００４５】  アーム１１を閉じるときは、フック１４を押し下げて支持ピン１３Ｎを下方に変位させ、開閉部材１３を開くと、開閉部材１３を開く方向の力はアーム１１を閉じる方向の力に変換され、アーム１１は閉じる。
【００４６】  以上述べたように、本実施形態のハンガー１は、根元において結合ピン１２によって回動可能に支持される２本のアームと、アーム１１の付け根にアーム１１に対して１８０°より小さく、９０°以上の角度をなして設けられ、閉じる方向の力を２本の前記アームを開く方向の力に変換する開閉部材１３と、２本のアーム１１に挟まれるように配置され、下端部に開閉部材１３を閉じた状態に維持する規制部材を有するフック１４と、を備える。より具体的には、アーム１１は、アーム１１の根元において結合ピン１２によって回動可能に支持され、  開閉部材１３は、アーム１１の伸延方向の結合ピン１２に対して反対側から開閉部材１３の根元まで伸びる切り欠き部を有する本体部１３Ｏを根元に有し、規制部材は、切り欠き部１３Ｍに挿通される支持ピン１３Ｎである。
【００４７】  従って、より少ない部材を用いてより少ない動作によって開閉できるハンガー１を提供することができるという効果がある。
【００４８】（第４の実施形態）  図１０は第４の実施形態のハンガー１のアーム１１を開いた状態を示す図、図１１は第４の実施形態のハンガー１の分解斜視図、図１２は第４の実施形態のハンガー１のアーム１１を閉じた状態を示す図、図１３は第４の実施形態のハンガー１の図１０におけるＡＡ断面図である。
【００４９】  図１０から図１３までに示すように、ハンガー１は、左右２本のアーム１１と、開閉部材１３と、フック１４と、開閉規制機構２０と、結合ピン１２と、を備える。
【００５０】  アーム１１は、衣類を吊り下げるのに適した長さと幅を有するように、長軸に形成される。２本のアーム１１は、互いに同一形状に形成され、一方のアーム１１が裏返しに用いられる。アーム１１はそれぞれ、付け根部分中央部にアーム挿通孔１３Ｑを備える。
【００５１】  開閉部材１３は、アーム１１の付け根にアーム１１に対して１８０°より小さく、９０°以上の角度をなして設けられる。開閉部材１３は開閉規制機構２０のロック係止部２１Ｃ及び規制解除部２１を開閉部材１３の中央部分に備える。
【００５２】  規制解除部２１は、弾性力を有する解除部弾性部２１Ａと、解除部弾性部２１Ａの先端部に設けられ、フック１４側に突出する解除突起２１Ｂと、を備える。
【００５３】  ロック係止部２１Ｃは、フック１４側とは反対側に向かってへこむ段差、又は凹部である。
【００５４】
フック１４は、湾曲部分の付け根に、フック１４を吊り下げた場合の下方（以下、単に下方という。）に延びる伸延部１４Ｄを有する。フック１４は、伸延部１４Ｄに一対のロック部２２を備える。また、フック１４は伸延部１４Ｄの端部中央部にフック挿通孔１４Ｃを備える。伸延部１４Ｄは２本のアーム１１の根元に挟まれるように配置される。
【００５５】  ロック部２２はそれぞれ、ロック係止部２１Ｃの方向に延び、アーム１１側に付勢されるロック弾性部２２Ａと、ロック弾性部２２Ａのロック係止部２１Ｃ側先端部に設けられる規制部材であるロック規制部２２Ｂと、を備える。ロック弾性部２２Ａの付勢する力である弾性力は解除部弾性部２１Ａの弾性力より強い。
【００５６】  ロック部２２は、力が加わらない状態において、開閉部材１３のフック１４側の平面よりアーム１１側に突出する。また、ロック弾性部２２Ａは、付け根部分からロック係止部２１Ｃの方向に向かって傾斜する。
【００５７】  結合ピン１２は、一方のアーム１１のアーム挿通孔１３Ｑ、フック１４のフック挿通孔１４Ｃ、及び他方のアーム１１のアーム挿通孔１３Ｑに挿通される。一方のアーム１１、フック１４、及び他方のアーム１１は、結合ピン１２によってそれぞれ回動可能に係止される。
【００５８】  次に、本実施形態のハンガー１の動作について説明する。
【００５９】  一対の開閉部材１３をフック１４方向に変位させると、開閉部材１３を閉じる方向の力は結合ピン１２によってアーム１１を開く方向の力に変換される。
【００６０】  アーム１１が開くと、アーム１１によってフック１４側に押圧されていたロック規制部２２Ｂがロック係止部２１Ｃに嵌まり込む。従って、ロック係止部２１Ｃによってアーム１１が開くことが規制され、アーム１１は開いた状態が維持される。
【００６１】  ここで、解除突起２１Ｂがフック１４の方向に押圧されると、ロック規制部２２Ｂはフック１４側に変位し、ロック係止部２１Ｃの係合が外れる。従って、開閉規制機構２０の規制が解除され、アーム１１は閉じることができる。
【００６２】  なお、本実施形態のハンガー１は、規制解除部２１を省略し、ロック弾性部２２Ａ又はロック規制部２２Ｂを直接押圧することによってロック規制部２２Ｂのロック係止部２１Ｃとの係合を解除するようにすることもできる。また、フック１４は２本のアーム１１の少なくとも１本と一体成型されていてもよい。さらに、結合ピン１２はアーム１１又はフック１４と一体成型されていてもよい。規制部材である開閉規制機構２０はアーム１１のみに設けられ、フック１４には設けられないようにすることもできる。規制部材である開閉規制機構２０はフック１４のみに設けられ、アーム１１には設けられないようにすることもできる。フック１４は、２本のアーム１１の間に配置されていても、２本のアーム１１の外側に配置されていてもよい。
【００６３】  以上述べたように、本実施形態のハンガー１は、フック１４と、根元において結合ピン１２によって回動可能に支持される２本のアームと、アーム１１の付け根にアーム１１に対して１８０°より小さく、９０°以上の角度をなして設けられ、閉じる方向の力を２本の前記アームを開く方向の力に変換する開閉部材１３と、アーム１１及びフック１４の少なくともいずれか一方に設けられ、開閉部材１３を閉じた状態、つまりアーム１１を開いた状態に維持する開閉規制機構２０を有するフック１４と、を備える。より具体的には、規制部材は、フック１４及び開閉部材１３のいずれか一方に設けられるへこみであるロック係止部２１Ｃと、フック１４及び開閉部材１３の他方に設けられ、フック１４及び開閉部材１３の一方側に付勢する弾性力を有するロック弾性部２２Ａによって、開閉部材１３が閉じたときにロック係止部２１Ｃと係合されるロック規制部２２Ｂである。
【００６４】  従って、開閉部材１３をつまむことにより一つの動作によってアーム１１を開いた状態に維持でき、ロック規制部２２Ｂを押圧してロック係止部２１Ｃとの係合を解くことにより一つの動作によってアーム１１を閉じることができる、という効果がある。
【００６５】（実施形態のまとめ）  本実施形態のハンガー１は、概略をまとめると以下のようになる。［１］  フックと、  根元において結合ピンによって回動可能に支持される２本のアームと、  前記アームの付け根に前記アームに対して１８０°より小さく、９０°以上の角度をなして設けられ、閉じる方向の力を２本の前記アームを開く方向の力に変換する開閉部材と、  前記アーム及び前記フックの少なくともいずれか一方に設けられ、前記開閉部材を閉じた状態に維持する規制部材と、を備えるハンガー。［２］  前記フックは、  ２本の前記アームのうちの少なくとも１本に、一体に設けられる［１］に記載のハンガー。［３］  前記規制部材は、  前記フック及び前記開閉部材のいずれか一方に設けられるへこみであるロック係止部と、  前記フック及び前記開閉部材の他方に設けられ、前記フック及び前記開閉部材の一方側に付勢する弾性力を有するロック弾性部によって、前記開閉部材が閉じたときに前記ロック係止部と係合されるロック規制部である［１］に記載のハンガー。［４］  前記開閉部材は、  前記アームの伸延方向の前記結合ピンに対して反対側から前記開閉部材の根元まで伸びる切り欠き部を有する本体部を根元に有し、  前記規制部材は、  前記切り欠き部に挿通される支持ピンである［１］に記載のハンガー。［５］  前記開閉部材は、  前記開閉部材の伸延方向と、前記結合ピンを中心として前記アームに対する屈曲方向逆側に延びる弧とに沿って延びる切り欠きを有し、  前記規制部材は、  前記切り欠きに挿通される支持ピンである［１］に記載のハンガー。［６］  前記開閉部材は、  長辺が前記開閉部材の伸延方向に沿って延び、前記開閉部材の根元において前記アームに対する屈曲方向とは逆の方向に、前記結合ピンを中心として伸びる弧を底辺とし、前記底辺の前記長辺と接続する端部の逆側の端部と前記長辺の末端を結ぶ直線を斜辺とする略直角三角形の切り欠き穴を有し、  前記規制部材は、  前記切り欠き穴に挿通される支持ピンである［１］に記載のハンガー。［７］  板状の部材によって形成され、上部において繋がる二つの窓部と、二つの前記窓部の間に設けられ、前記支持ピンを挿通する支持ピン挿通孔を有する突出部と、備える補助部材をさらに備える［６］に記載のハンガー。
【符号の説明】
【００６６】１  ハンガー１１  アーム１２  結合ピン１３  開閉部材１３Ｈ  支持ピン１３Ｊ  切り欠き穴１３Ｍ  切り欠き部１３Ｎ  支持ピン１３Ｏ  本体部１３Ｐ  突起部１３Ｑ  アーム挿通孔１４  フック１４Ｂ  柄１４Ｄ  伸延部１６  補助部材１６Ａ  窓部１６Ｂ  突出部１６Ｃ  支持ピン挿通孔２０  開閉規制機構２１  規制解除部２１Ａ  解除部弾性部２１Ｂ  解除突起２１Ｃ  ロック係止部２２Ａ  ロック弾性部２２Ｂ  ロック規制部
【要約】【課題】安価に製造することができ、迅速に衣類に装着できるハンガー（１）を提供する。【解決手段】フック（１４）と、根元において結合ピンによって回動可能に支持される２本のアーム（１１）と、アーム（１１）の付け根にアーム（１１）に対して１８０°より小さく、９０°以上の角度をなして設けられ、閉じる方向の力を２本のアーム（１１）を開く方向の力に変換する開閉部材（１３）と、前記アーム（１１）及び前記フック（１４）の少なくともいずれか一方に設けられ、開閉部材（１３）を閉じた状態に維持する規制部材を備えるハンガー（１）。【図１】
0006449525.tif 000002
【図２】
0006449525.tif 000003
【図３】
0006449525.tif 000004
【図４】
0006449525.tif 000005
【図５】
0006449525.tif 000006
【図６】
0006449525.tif 000007
【図７】
0006449525.tif 000008
【図８】
0006449525.tif 000009
【図９】
0006449525.tif 000010
【図１０】
0006449525.tif 000011
【図１１】
0006449525.tif 000012
【図１２】
0006449525.tif 000013
【図１３】
0006449525.tif 000014